【手続補正書】
【提出日】平成21年8月7日(2009.8.7)
【手続補正１】
【補正対象書類名】明細書
【補正対象項目名】０１１２
【補正方法】変更
【補正の内容】
【０１１２】
＜第５実施例＞
図１０は、本発明の第５実施例を示したもので、本実施例においても、第１実施例と同様に、第２レンズ４の第２面と撮像面７との間にフィルタ６としてのカバーガラスを配置している。
この第５実施例の撮像レンズ１は、以下の条件に設定されている。
レンズデータ
Ｌ＝２．０８ｍｍ、ｆｌ＝１．９４ｍｍ、ｆ１ ＝２．２１ｍｍ、ｆ２ ＝８．１ｍｍ、ｄ１＝０．３７ｍｍ、ｄ２＝０．２５ｍｍ、ｄ３＝０．３８ｍｍ、Ｆｎｏ＝３．２５
面番号                     ｒ          ｄ        ｎｄ        νｄ
（物点）
（絞り）
１（第１レンズ第１面）    0.56        0.37        1.531         56.0
２（第１レンズ第２面）    0.82        0.25
３（第２レンズ第１面）  -10.50        0.38        1.531         56.0
４（第２レンズ第２面）   -3.10        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -2.45E-1     -2.68E-1      1.00E+1      -8.11E+1
２     3.85         1.92E-1     -1.44E+1       1.18E+2
３     0.00        -4.85E-1     -1.57E+1       1.31E+2
４    -1.28E+1     -4.53E-1     -3.32E-1      -5.57E-1
このような条件の下で、（ｒ３＋ｒ４）／（ｒ３−ｒ４）＝１．８４となり、（１）式を満足するものであった。また、ｄ２／ｄ１＝０．６８となり、（２）式を満足するものであった。さらに、ｆ１／ｆ２＝０．２７となり、（３）式を満足するものであった。さらにまた、ｆ１／ｆｌ＝１．１４となり、（４）式を満足するものであった。また、ｆ２／ｆｌ＝４．１８となり、（５）式を満足するものであった。さらに、Ｌ／ｆｌ＝１．０７となり、（６）式を満足するものであった。さらにまた、ｄ１／ｆｌ＝０．１９となり、（７）式を満足するものであった。また、ｄ３ ／ｆｌ＝０．２０となり、（８）式を満足するものであった。さらに、Ｓ＝０．０３ｍｍとなり、（９）式を満足するものであった。さらにまた、Ｂｆｌ／ｆｌ＝０．５６となり、（１０）式を満足するものであった。また、Ｂｆｌ＝１．０８ｍｍとなり、（１１）式を満足するものであった。
【手続補正２】
【補正対象書類名】明細書
【補正対象項目名】０１１８
【補正方法】変更
【補正の内容】
【０１１８】
＜第７実施例＞
図１４は、本発明の第７実施例を示したもので、本実施例においても、第１実施例と同様に、第２レンズ４の第２面と撮像面７との間にフィルタ６としてのカバーガラスを配置している。
この第７実施例の撮像レンズ１は、以下の条件に設定されている。
レンズデータ
Ｌ＝２．１７ｍｍ、ｆｌ＝２．０７ｍｍ、ｆ１＝２．２４ｍｍ、ｆ２＝１２．６５ｍｍ、ｄ１＝０．３５ｍｍ、ｄ２＝０．２５ｍｍ、ｄ３＝０．３８ｍｍ、Ｆｎｏ＝３．５５
面番号                     ｒ          ｄ        ｎｄ        νｄ
（物点）
（絞り）
１（第１レンズ第１面）    0.56        0.35        1.531         56.0
２（第１レンズ第２面）    0.82        0.25
３（第２レンズ第１面）   -7.00        0.38        1.531         56.0
４（第２レンズ第２面）   -3.50        0.10
５（カバーガラス第１面）  0.00        0.30        1.516         64.0
６（カバーガラス第２面）  0.00
（像面）
絞り２は、第１レンズ３の第１面の光軸８上の点より像面側に０．０３ｍｍの位置に配置
面番号   ｋ           Ａ           Ｂ          Ｃ
１    -2.08E-1     -2.63E-1      8.75         -7.86E+1
２     4.12         1.04E-1     -2.19E+1       1.96E+2
３     0.00        -1.81E-1     -2.77E+1       2.56E+2
４     5.12        -4.27E-1      5.08E-1      -6.40
このような条件の下で、（ｒ３＋ｒ４）／（ｒ３−ｒ４）＝３．００となり、（１）式を満足するものであった。また、ｄ２／ｄ１＝０．７１となり、（２）式を満足するものであった。さらに、ｆ１／ｆ２＝０．１８となり、（３）式を満足するものであった。さらにまた、ｆ１／ｆｌ＝１．０８となり、（４）式を満足するものであった。また、ｆ２／ｆｌ＝６．１１となり、（５）式を満足するものであった。さらに、Ｌ／ｆｌ＝１．０５となり、（６）式を満足するものであった。さらにまた、ｄ１／ｆｌ＝０．１７となり、（７）式を満足するものであった。また、ｄ３ ／ｆｌ＝０．１８となり、（８）式を満足するものであった。さらに、Ｓ＝０．０３ｍｍとなり、（９）式を満足するものであった。さらにまた、Ｂｆｌ／ｆｌ＝０．５７となり、（１０）式を満足するものであった。また、Ｂｆｌ＝１．１９ｍｍとなり、（１１）式を満足するものであった。
【手続補正３】
【補正対象書類名】明細書
【補正対象項目名】０１３０
【補正方法】変更
【補正の内容】
【０１３０】
＜第１１実施例＞
図２２は、本発明の第１１実施例を示したもので、本実施例においても、第１実施例と同様に、第２レンズ４の第２面と撮像面７との間にフィルタ６としてのカバーガラスを配置している。
この第１１実施例の撮像レンズ１は、以下の条件に設定されている。
レンズデータ
Ｌ＝２．１１ｍｍ、ｆｌ＝１．９７ｍｍ、ｆ１＝２．２ｍｍ、ｆ２＝８．４６ｍｍ、ｄ１＝０．３７ｍｍ、ｄ２＝０．３５ｍｍ、ｄ３＝０．３８ｍｍ、Ｆｎｏ＝３．２５
面番号                     ｒ          ｄ        ｎｄ        νｄ
（物点）
（絞り）
１（第１レンズ第１面）    0.58        0.37        1.531         56.0
２（第１レンズ第２面）    0.88        0.35
３（第２レンズ第１面）  -10.00        0.38        1.531         56.0
４（第２レンズ第２面）   -3.15        0.10
５（カバーガラス第１面）  0.00        0.30        1.516         64.0
６（カバーガラス第２面）  0.00
（像面）
絞り２は、第１レンズ３の第１面の光軸８上の点より像面側に０．０５ｍｍの位置に配置
面番号   ｋ           Ａ          Ｂ            Ｃ
１     5.21E-1     -2.80E-1     -2.61          4.68E+1
２     3.18         4.06E-1     -5.76          8.66E+1
３     0.00        -1.77         8.60          -5.46E+1
４    -7.44E+1     -1.05         2.33          -5.94
このような条件の下で、（ｒ３＋ｒ４）／（ｒ３−ｒ４）＝１．９２となり、（１）式を満足するものであった。また、ｄ２／ｄ１＝０．９５となり、（２）式を満足するものであった。さらに、ｆ１／ｆ２＝０．２６となり、（３）式を満足するものであった。さらにまた、ｆ１／ｆｌ＝１．１２となり、（４）式を満足するものであった。また、ｆ２／ｆｌ＝４．２９となり、（５）式を満足するものであった。さらに、Ｌ／ｆｌ＝１．０７となり、（６）式を満足するものであった。さらにまた、ｄ１／ｆｌ＝０．１９となり、（７）式を満足するものであった。また、ｄ３ ／ｆｌ＝０．１９となり、（８）式を満足するものであった。さらに、Ｓ＝０．０５ｍｍとなり、（９）式を満足するものであった。さらにまた、Ｂｆｌ／ｆｌ＝０．５１となり、（１０）式を満足するものであった。また、Ｂｆｌ＝１．０１ｍｍとなり、（１１）式を満足するものであった。